(57)【特許請求の範囲】
【請求項１】
上下方向に沿って配置され、記録媒体を収容すると共にその収容した記録媒体が取り出される複数の記録媒体収容部と、
前記複数の記録媒体収容部を上下方向へ昇降させて前記記録媒体収容部のそれぞれを所定位置に移動させることが可能な移動機構と、
前記所定位置に位置する前記記録媒体収容部から前記記録媒体を、前記記録媒体収容部に対して前記記録媒体が収容される方向とは反対側へ取り出す取出機構と、
前記記録媒体収容部のそれぞれに設けられ、前記記録媒体収容部に収容された前記記録媒体に覆われると共に該記録媒体が該記録媒体収容部から取り出されると露出する反射板と、
複数の前記反射板に対して共通して用いられると共に前記記録媒体収容部の外部に設けられ、前記所定位置に位置する前記記録媒体収容部の前記反射板へ光を発する発光部と、
複数の前記反射板に対して共通して用いられると共に前記記録媒体収容部の外部に設けられ、前記発光部から前記反射板へ発せられて該反射板で反射した反射光を受光し、前記記録媒体収容部内の記録媒体の有無を検知する受光部と、
を備え、
前記発光部及び前記受光部は、前記取出機構によって前記記録媒体収容部から前記記録媒体が取り出される取出方向側に設けられ、前記所定位置に位置する前記記録媒体収容部の前記反射板へ向けられている画像形成装置。
【請求項２】
前記反射板は、前記記録媒体収容部内の前記取出方向側に配置され、反射面が前記取出方向側を向くように傾斜されている請求項１に記載の画像形成装置。
【請求項３】
前記反射板は、再帰性反射板である請求項１又は請求項２に記載の画像形成装置。
【請求項４】
前記反射板を覆う位置に前記記録媒体が収容されるように、前記記録媒体収容部に収容される前記記録媒体の位置を規制する規制部材を備えた請求項１〜３のいずれか１項に記載の画像形成装置。
【請求項５】
光を反射する反射面が、前記記録媒体収容部の構造物に形成され、
前記発光部は、前記反射面で反射した反射光が前記受光部に入射しないように、前記反射面に対して角度を有して配置された請求項１〜４のいずれか１項に記載の画像形成装置。
【請求項６】
前記発光部及び前記受光部が取り付けられ、前記発光部から発せられる光の光軸及び前記受光部が受光する光の光軸を調整するための調整部材が装着可能な取付部を備えた請求項１〜５のいずれか１項に記載の画像形成装置。
【発明の詳細な説明】
【技術分野】
【０００１】
本発明は、画像形成装置に関する。
【背景技術】
【０００２】
画像形成装置としては、記録媒体としての用紙を検知する検知センサを有する画像形成装置が知られている。このような画像形成装置としては、特許文献１に開示される画像形成装置が公知である。
【０００３】
特許文献１に開示される画像形成装置は、搬送ユニット６と搬送ユニット７で構成される搬送路があり、それぞれのユニットには、搬送ＳＮ８，９と搬送手段を手動で廻す為のノブＡ１１，ノブＢ１２がそれぞれ独立で設けてある。また、そのユニット間には用紙の跨りを検知するための用紙ＳＮ１０が設けられている。（ｂ）に示すように用紙先端が、搬送方向下流の搬送ＳＮ９に到達していない場合は、ノブＡ１１を廻すように警告手段１４（ＬＥＤ点灯または点滅）で指示することで、効率良く確実なジャム用紙除去を可能とする。
【０００４】
【特許文献１】特開２００５−２５８１０４号公報（図３参照）
【発明の開示】
【発明が解決しようとする課題】
【０００５】
本発明は、記録媒体を収容する記録媒体収容部に残存する記録媒体を検知するための構成部品を配置するスペースが狭くても、記録媒体収容部に残存する記録媒体を検知できる画像形成装置を提供することを課題とする。
【課題を解決するための手段】
【０００６】
第１態様に係る画像形成装置は、記録媒体を収容すると共にその収容した記録媒体が取り出される複数の記録媒体収容部と、前記記録媒体収容部のそれぞれに設けられ、前記記録媒体収容部に収容された前記記録媒体に覆われると共に該記録媒体が該記録媒体収容部から取り出されると露出する反射板と、前記記録媒体収容部のそれぞれを所定位置に移動させることが可能な移動機構と、前記記録媒体収容部の外部に設けられ、前記所定位置に位置する前記記録媒体収容部の前記反射板へ光を発する発光部と、前記記録媒体収容部の外部に設けられ、前記発光部から前記反射板へ発せられて該反射板で反射した反射光を受光し、前記記録媒体収容部に残存する記録媒体を検知する受光部と、を備えている。
【０００７】
第２態様に係る画像形成装置は、第１態様の構成において、前記所定位置に位置する前記記録媒体収容部から前記記録媒体を取り出す取出機構を備えている。
【０００８】
第３態様に係る画像形成装置は、第１態様又は第２態様の構成において、前記反射板は、再帰性反射板である。
【０００９】
第４態様に係る画像形成装置は、第１〜第３態様のいずれか１項の構成において、前記反射板を覆う位置に前記記録媒体が収容されるように、前記記録媒体収容部に収容される前記記録媒体の位置を規制する規制部材を備えている。
【００１０】
第５態様に係る画像形成装置は、第１〜第４態様のいずれか１項の構成において、光を反射する反射面が、前記記録媒体収容部の構造物に形成され、前記発光部は、前記反射面で反射した反射光が前記受光部に入射しないように、前記反射面に対して角度を有して配置されている。
【００１１】
第６態様に係る画像形成装置は、第１〜第５態様のいずれか１項の構成において、前記発光部及び前記受光部が取り付けられ、前記発光部から発せられる光の光軸及び前記受光部が受光する光の光軸を調整するための調整部材が装着可能な取付部を備えている。
【発明の効果】
【００１２】
本発明の請求項１の構成によれば、記録媒体を収容する記録媒体収容部に残存する記録媒体を検知するための構成部品を配置するスペースが狭くても、本構成を有していない場合に比して、記録媒体収容部に残存する記録媒体を検知できる。
【００１３】
本発明の請求項１の構成によれば、本構成を有していない場合に比して、記録媒体収容部に残存する記録媒体を検知するための構成部品及び取出し機構を集約して配置でき、配置スペースの省スペース及び省部品で低コスト化が図れる。
【００１４】
本発明の請求項３の構成によれば、本構成を有していない場合に比して、発光部及び受光部を集約して配置でき、配置スペースの省スペース及び省部品で低コスト化が図れる。
【００１５】
本発明の請求項４の構成によれば、本構成を有していない場合に比して、誤検知を抑制できる。
【００１６】
本発明の請求項５の構成によれば、本構成を有していない場合に比して、誤検知を抑制できる。
【００１７】
本発明の請求項６の構成によれば、本構成を有していない場合に比して、発光部から発せられる光の光軸及び受光部が受光する光の光軸を調整するのが容易になる。
【発明を実施するための最良の形態】
【００１８】
以下に、本発明に係る実施形態の一例を図面に基づき説明する。
（本実施形態に係る画像形成装置の全体構成）
まず、本実施形態に係る画像形成装置の全体構成を説明する。図１は、本実施形態に係る画像形成装置の全体構成を示す概略図である。
【００１９】
本実施形態に係る画像形成装置１は、各構成部品が収容される装置本体１１を備え、装置本体１１には、画像形成部１３及び後処理部Ｆが設けられている。
【００２０】
画像形成部１３は、スキャナ部Ａ、制御部Ｂ、ゼログラフィー部Ｃ、ユーザーインターフェイス（ＵＩ）部Ｄ及び給紙部Ｅを備えて構成されている。後処理部Ｆは、用紙反転路５ａを有する用紙整理部５、用紙Ｐを収容するためのビンデクサー部６、ステイプル部７、バインダテープ４によるバインダ製本部８、背表紙画像形成部９及びスタッカー部１０を備えて構成されている。
【００２１】
スキャナ部Ａは原稿から文字を含む画像を読み取り、制御部Ｂでは、スキャナ部Ａで読み取られた文字情報及び画像情報がファイリングし、製本物の中身と表表紙及び裏表紙に画像を形成するためのジョブが生成される。ゼログラフィー部Ｃは、給紙部Ｅから供給される記録媒体としての用紙に、スキャナ部Ａで読み取られた文字情報や画像情報を画像形成するようになっている。
【００２２】
なお、記録媒体としては、用紙に限られず、プラスチックフィルム等のシート状部材、その他、画像が記録される媒体を用いても良い。
【００２３】
ゼログラフィー部Ｃに用紙を供給する給紙部Ｅは、製本物の中身となる文字や画像が形成される普通用紙を収容する大容量トレイ１８と、表表紙や裏表紙となる表紙用紙を収容する表紙紙トレイ１９と、カラー画像等が形成される特殊用紙を収容する特殊紙トレイ２０と、これらのトレイ１８、１９及び２０から送出された用紙の搬送路２１とを備えて構成されている。
【００２４】
そして、この搬送路２１は、各トレイ１８、１９及び２０から送出された用紙をゼログラフィー部Ｃの転写器（図示省略）まで搬送する第１搬送路２１ａと、未定着トナー像が乗った用紙を転写器から定着器１７まで搬送する主搬送路２１ｂと、定着されて文字や画像が形成された用紙を後処理部Ｆに設けられた用紙整理部５まで搬送する第２搬送路２１ｃと、両面に画像形成する際に片面に画像形成された用紙を反転させて再び第１搬送路２１ａに送り込む反転搬送路２１ｄとを備えて構成されている。
【００２５】
製本物の画像形成については、先ず始めに、表紙紙トレイ１９から裏表紙となる表紙用紙が送出され、この表紙用紙は第１搬送路２１ａを搬送され、ゼログラフィー部Ｃの転写器により未定着トナー像が転写され、更に主搬送路２１ｂを走行して定着器１７に送られ、この定着器１７で未定着トナー像が表紙用紙上に定着された後、第２搬送路２１ｃを搬送されて後処理部Ｆの用紙整理部５に入り、この用紙整理部５の用紙反転路５ａで反転され、形成された裏表紙画像を下にしてビンデクサー部６内にスタックされる。
【００２６】
次に、製本物の中身が画像形成される普通用紙が大容量トレイ１８から順次必要な枚数だけ送出され、これらの普通用紙はそれぞれ第１搬送路２１ａ→ゼログラフィー部Ｃの転写器→主搬送路２１ｂ→定着器１７→第２搬送路２１ｃ→反転搬送路２１ｄ→第１搬送路２１ａ→ゼログラフィー部Ｃの転写器→主搬送路２１ｂ→定着器１７→第２搬送路２１ｃ→用紙整理部５→ビンデクサー部６の順に搬送され、ビンデクサー部６内で上記裏表紙画像が形成された表紙用紙の上にスタックされる。
【００２７】
この間、必要により製本物中に挿入されるカラー画像等が形成される特殊用紙が特殊紙トレイ２０から送出され、この特殊用紙は第１搬送路２１ａ→ゼログラフィー部Ｃの転写器→主搬送路２１ｂ→定着器１７→第２搬送路２１ｃ→（必要により、反転搬送路２１ｄ→第１搬送路２１ａ→ゼログラフィー部Ｃの転写器→主搬送路２１ｂ→定着器１７→第２搬送路２１ｃを経由して両面に画像形成された後）→用紙整理部５→ビンデクサー部６の順に搬送され、製本物の中身が画像形成された普通用紙の間に適宜挿入され、これら普通用紙と共にスタックされる。
【００２８】
更に、表紙紙トレイ１９から表表紙となる表紙用紙が送出され、この表紙用紙は、裏表紙となる表紙用紙と同様に、第１搬送路２１ａ→ゼログラフィー部Ｃの転写器→主搬送路２１ｂ→定着器１７→第２搬送路２１ｃ→用紙整理部５→ビンデクサー部６の順に搬送され、ビンデクサー部６内で上記中身が画像形成された普通用紙の上にスタックされ、製本物の一揃いを構成する文書セット（用紙束）がビンデクサー部６に収容される。
【００２９】
この様にしてビンデクサー部６内に文書セットが整うと、この文書セットは次にステイプル部７に送り込まれ、このステイプル部７でホチキス止めされて次の背表紙画像形成部９に送られるか、あるいは、このステイプル部７でホチキス止めされることなくバインダ製本部８に送られ、このバインダ製本部８でバインダテープ４によりバインダ製本されて次の背表紙画像形成部９に送られる。なお、図１において符号２７はホチキス止めするときに用いられるワイヤーを収納するスティッチャー・ワイヤーリールである。
【００３０】
バインダ製本部８では、ビンデクサー部６から送り込まれてきた文書セットを受け取り、バインダテープ４を文書セットの背部に押圧して貼着し、次の背表紙画像形成部９に送出するようになっている。
【００３１】
また、後処理部Ｆの背表紙画像形成部９は、ステイプル部７又はバインダ製本部８でホチキス止めあるいはバインダ製本されて送り込まれてくる文書セットの背表紙に、インクジェットにより画像形成して、スタッカー部１０から出来上がった製本物が排出される。
【００３２】
（ビンデクサー部６の構成）
次に、ビンデクサー部６の構成について説明する。
本実施形態に係るビンデクサー部６は、用紙Ｐを丁合するためのものであり、ビンデクサー部６には文書セット（用紙束）が収容される。
【００３３】
ビンデクサー部６から見て用紙搬送方向上流側（用紙整理部５とビンデクサー部６との間）には、図２に示すように、用紙Ｐを搬送する搬送ベルト５０が配置されており、ビンデクサー部６には、搬送ベルト５０から用紙Ｐが送り込まれる。
【００３４】
搬送ベルト５０は、一対の巻掛ロール５２に巻き掛けられた無端状のベルトで構成されており、静電力等により用紙Ｐを吸着して搬送するようになっている。
【００３５】
ビンデクサー部６は、記録媒体を収容すると共にその収容した記録媒体が取り出される複数の記録媒体収容部の一例として、用紙Ｐを積載収容する複数（例えば、３つ）の収容トレイ６０を備えており、３つの文書セットまで収容できるようになっている。
【００３６】
収容トレイ６０と搬送ベルト５０との間には、収容トレイ６０に用紙Ｐを送り込みための送込ロール６２が設けられている。
送込ロール６２と搬送ベルト５０との間には、用紙ガイド（図示省略）が設けられており、この用紙ガイドにより、搬送ベルト５０で搬送される用紙Ｐが、複数の収容トレイ６０のいずれかに振り分けられ、送込ロール６２により収容トレイ６０に送り込まれる。
【００３７】
また、収容トレイ６０の上方であって送込ロール６２の近傍には、用紙詰まり（ジャム）を検知するための検知センサ６４が配置されている。検知センサ６４は、収容トレイ６０までの搬送経路において、用紙Ｐが収容トレイ６０に収容されずに止まってしまった場合に、用紙詰まりとして検知する。
【００３８】
さらに、ビンデクサー部６は、収容トレイ６０に開閉可能に設けられた排出ゲート６６を備えている。この排出ゲート６６は、収容トレイ６０に用紙Ｐを収容する際に閉鎖され、収容トレイ６０に収容された用紙Ｐの用紙束（文書セット）が排出される際に開放される。
排出ゲート６６は、閉鎖された状態において、収容トレイ６０に収容された用紙Ｐが当って、用紙Ｐの端部を揃えるための用紙ガイドとして機能する。
【００３９】
収容トレイ６０には、収容トレイ６０に収容された用紙Ｐを排出ゲート６６に押し付ける押付ロール６８が配置されている。押付ロール６８が用紙Ｐを排出ゲート６６に押し付けることにより、用紙Ｐの端部が揃えられる。
【００４０】
ビンデクサー部６の搬送方向下流側（ビンデクサー部６とステイプル部７との間）には、収容トレイ６０に収容された用紙Ｐの用紙束を収容トレイ６０から取り出す取出機構６７が設けられている。
取出機構６７は、アーム６７Ａによって用紙Ｐの用紙束を上下から挟持して、収容トレイ６０から取り出してステイプル部７に搬送する。
【００４１】
また、収容トレイ６０は、画像形成装置１の装置本体１１に上下方向に移動可能に設けられている。複数の収容トレイ６０には、複数の収容トレイ６０を一体に上下に移動させる移動機構の一例としての駆動部６９が設けられている。
【００４２】
駆動部６９は、取出機構６７が取り出し可能な取出位置に複数の収容トレイ６０のいずれかを移動させる。図２では、３つの収容トレイ６０のうちの中央にある収容トレイ６０が取出位置に位置する。他の２つの収容トレイ６０も取出位置に移動可能であり、最上部の収容トレイ６０が図２における２点鎖線Ａで示す位置に位置するときに、最下部の収容トレイ６０が取出位置に位置し、最下部の収容トレイ６０が図２における２点鎖線Ｂで示す位置に位置するときに、最上部の収容トレイ６０が取出位置に位置する。なお、駆動部６９は、収容トレイ６０を横方向へ移動させる構成であってもよい。
【００４３】
収容トレイ６０内には、図３及び図４に示すように、光を反射する反射板８０が設けられている。反射板８０は、図５に示すように、収容トレイ６０に収容された用紙Ｐに覆われると共に、その用紙Ｐが収容トレイ６０から取り出されると露出するようになっている。収容トレイ６０には、複数のサイズ（例えば、Ａ４及びＡ４ノビ）用紙Ｐが収容可能とされており、いずれのサイズの用紙Ｐを収容した場合であっても反射板８０は覆われる。
【００４４】
反射板８０は、再帰性を有する再帰性反射板で構成されている。なお、再帰性とは、入射された光を、その光が入射した方向へ向けて反射する機能である。すなわち、反射板８０は、光の入射方向と反射方向が略同一の範囲になるように反射するものであり、図６に示すように、反射板８０に対して０°＜θ１＜９０°の範囲で入射された光Ｘ１を、９０°＜θ２＜１８０°の範囲で反射するのではなく、少なくとも０°＜θ１＜９０°の範囲で反射するようになっている。なお、図６において、９０°＜θ２＜１８０°の範囲で反射された光はＸ２で示され、０°＜θ１＜９０°の範囲で反射された光はＸ３で示されている。
【００４５】
収容トレイ６０の外部には、収容トレイ６０に残存する用紙Ｐ（残紙）を検知するための検知センサ８２が設けられている。
検知センサ８２は、反射板８０へ光を発する発光部８２Ａと、発光部８２Ａから反射板８０へ発せられて反射板８０で反射した反射光を受光する受光部８２Ｂとを備えている。
【００４６】
発光部８２Ａは、所定位置としての取出位置に位置する収容トレイ６０の反射板８０に光が照射されるように構成されており、照射位置が規定されている。これにより、本実施形態では、取出位置にある収容トレイ６０の反射板８０が位置する位置に、発光部８２Ａが光を発し、その位置において反射板８０が反射した反射光を受光部８２Ｂが受光する。
なお、所定位置としては、取出位置である必要ななく、特定の定まった位置であれば良い。
【００４７】
反射板８０は、収容トレイ６０のそれぞれに設けられるのに対して、検知センサ８２は、１つのみ設けられ、複数の収容トレイ６０の残紙検知に用いられる。
【００４８】
検知センサ８２は、画像形成装置１の装置本体１１に設けられた取付部の一例としてのブラケット７２に取り付けられている。このブラケット７２は、装置本体１１のフレーム７０に固定されている。
【００４９】
また、収容トレイ６０において、その構造物としての排出ゲート６６は、例えば、アルミ等の金属材料で形成してもよく、この場合には、排出ゲート６６の外面には、光を反射する反射面６６Ａが形成される。
【００５０】
反射面６６Ａが形成される構成においては、発光部８２Ａは、反射面６６Ａで反射した反射光が受光部８２Ｂに入射しないように、図５に示すように、反射面６６Ａに対して角度を有しているのが望ましい。
【００５１】
反射板８０が再帰性を有していれば、反射板８０で反射する反射光と、反射面６６Ａで反射する反射光の反射角が異なり、受光部８２Ｂは反射板８０で反射する反射光を受光することができる。
【００５２】
なお、発光部８２Ａが反射面６６Ａに対して角度を有する上記の構成は、反射面６６Ａからの反射光が受光部８２Ｂに入射された場合に受光部８２Ｂの検知結果に影響を及ぼす程度に、反射面６６Ａが光を反射してしまう場合に採用される構成であって、受光部８２Ｂの検知結果に影響を及ぼさない程度に、排出ゲート６６が光を吸収してしまう材料を用いた場合には、必須ではない。
【００５３】
また、ブラケット７２には、発光部８２Ａから発せられる光の光軸及び受光部８２Ｂが受光する光の光軸を調整するための調整部材の一例として光軸ポインタ７４が装着可能とされている。
【００５４】
光軸ポインタ７４は、棒状に形成されており、ステンレス等の材料で形成されている。ブラケット７２には、光軸ポインタ７４を挿し通すことが可能な孔７２Ａが形成されている。また、反射板８０には、光軸ポインタ７４が差すことで上記の光軸が理想の位置となる理想位置が描かれており、光軸ポインタ７４を孔７２Ａに挿し通し、理想位置を光軸ポインタ７４が差すように、ブラケット７２の位置及び角度を調整する。
【００５５】
なお、光軸ポインタ７４としては、光線により理想位置を差すことで、ブラケット７２の位置及び角度が調整される構成であってもよい。
【００５６】
なお、収容トレイ６０上には、用紙Ｐを載せるためのマット６５が設けられている。反射板８０は、収容トレイ６０に対して急角度にして立てる必要がなく、このマット６５の上面よりも下方に配置されている。
【００５７】
また、収容トレイ６０上には、用紙Ｐが収容トレイ６０に取り込まれる側に、収容トレイ６０に収容される用紙Ｐの位置を規制する規制部材の一例としてのブロック６３が設けられている。ブロック６３は、収容トレイ６０内の収容スペースを狭くし、反射板８０を覆う位置に用紙Ｐが収容されるようにする。収容トレイ６０に、用紙Ｐが入らなかった場合には、検知センサ６４によって紙詰まりとして検知される。
【００５８】
（本実施形態の作用）
次に、上記の実施形態の作用を、図７に基づき説明する。
画像形成装置１において、プリンタシステム（画像形成システム）の稼働が開始されると、ステップ１００において、画像形成装置１は、プリント可能（画像形成可能）状態となる。
【００５９】
プリント可能状態においては、残紙検知システムが稼働される。残紙検知システムが稼働を開始すると、まず、ステップ２００において、排出ゲート６６が開放状態（ＯＰＥＮ状態）から閉鎖（ＣＬＯＳＥ）されたか否かを検出する。これにより、収容トレイ６０から用紙Ｐが取り出されたか（排出されたか）否かが検出される。
【００６０】
排出ゲート６６が開放状態から閉鎖されたことが検出されない場合には、ステップ２００を繰り返す。
排出ゲート６６が開放状態から閉鎖されたことが、検出された場合には、ステップ２０２に移行し、収容トレイ６０に残紙があるか否かを検知する。残紙が検知されない場合には、ステップ２００に戻る。
【００６１】
残紙が検知された場合には、ステップ２０４に移行し、エラー信号を発して（ＯＮにして）、プリンタシステムに知らせる。
エラー信号は、ステップ２０６において、１秒間発せられた後に、ステップ２０８において停止される（ＯＦＦにされる）。
【００６２】
一方、ステップ１０２において、エラー信号を受け取らない場合には、ステップ１００に戻る。
ステップ１０２において、エラー信号を受け取った場合には、ステップ１０４に移行し、プリンタフォルト（残紙がある旨の表示）の表示をし、画像形成装置１（プリンタ）を停止する。
【００６３】
次に、ステップ１０６において、残紙排除操作が行われたか判断し、残紙排除が行われた場合には、ステップ１０８において、フォルトを解除してプリンタ待機状態になる。
【００６４】
ここで、本実施形態に係る画像形成装置１では、反射板８０が収容トレイ６０内に設けられるものの、検知センサ８２は収容トレイ６０外に配置されており、収容トレイ６０内のスペースが小さい場合でも収容トレイ６０に残存する用紙Ｐを検知できる。
【００６５】
また、発光部８２Ａ及び受光部８２Ｂを備える１つの検知センサ８２が、各収容トレイ６０を検知する際に共通で用いられるので、検知センサ８２を配置するための配置スペースの省スペース及び省部品で低コスト化が図れる。
【００６６】
また、反射板８０が再帰性を有しているので、発光部８２Ａと受光部８２Ｂとを集約して配置できるので、配置スペースの省スペース及び省部品で低コスト化が図れる。
【００６７】
また、収容トレイ６０が取出位置に位置するときに、取出機構６７による用紙束の取り出しと、検知センサ８２による残紙検知とが行われる。すなわち、取出機構６７による用紙束の取り出しの際の収容トレイ６０の位置と、検知センサ８２による残紙検知の際の収容トレイ６０の位置は、同じである。このため、検知センサ８２と取出機構６７とを集約して配置で、配置スペースの省スペース及び省部品で低コスト化が図れる。
本発明は、上記の実施形態に限るものではなく、種々の変形、変更、改良が可能である。
【図面の簡単な説明】
【００６８】
【図１】図１は、本実施形態に係る画像形成装置の全体構成を示す概略図である。
【図２】図２は、本実施形態に係るビンデクサー部及びその周辺の構成を示す概略図である。
【図３】図３は、本実施形態に係るビンデクサー部に残存する用紙を検知するための構成を示す概略図である。
【図４】図４は、本実施形態に係るビンデクサー部に残存する用紙を検知するための構成を示す概略斜視図である。
【図５】図５は、本実施形態に係るビンデクサー部の平面図である。
【図６】図６は、本実施形態に係る再帰性反射板を説明するための概略図である。
【図７】図７は、本実施形態に係る残紙を検知する手順を示すフローである。
【符号の説明】
【００６９】
１     画像形成装置
６０   収容トレイ（記録媒体収容部）
６３   ブロック（規制部材）
６６Ａ 反射面
６７   取出機構
６９   駆動部（移動機構）
７２   ブラケット（取付部）
７４   光軸ポインタ（調整部材）
８０   反射板
８２Ｂ 受光部
８２Ａ 発光部
【図１】
0004760845.tif 000002
【図２】
0004760845.tif 000003
【図３】
0004760845.tif 000004
【図４】
0004760845.tif 000005
【図５】
0004760845.tif 000006
【図６】
0004760845.tif 000007
【図７】
0004760845.tif 000008